(57)【要約】【課題】突風等の風からの負荷の急速な増加に対応することができる太陽光追尾装置を提供することを目的とする。【解決手段】本出願は、太陽からの光を受光する受光面と、地表面に対して前記受光面を旋回運動および傾倒運動の少なくとも一方の運動を行わせるための駆動装置と、を備え、太陽の動きに応じて受光面を駆動させる太陽光追尾装置を開示する。太陽光追尾装置は、受光面に対して所定値以上の力がかかった場合には、この力を逃がすことができるように、前記旋回運動および傾倒運動とは異なり、受光面の向きを変えるようになっている。【選択図】図１
2017053575.tif 000002
【特許請求の範囲】
【請求項１】
太陽からの光を受光する受光面と、
地表面に対して前記受光面を旋回運動および傾倒運動の少なくとも一方の運動を行わせるための駆動装置と、を備え、太陽の動きに応じて受光面を駆動させる太陽光追尾装置であって、
受光面に対して所定値以上の力がかかった場合には、この力を逃がすことができるように、前記旋回運動および傾倒運動とは異なり、受光面の向きを変えるようになっていることを特徴とする太陽光追尾装置。
【請求項２】
太陽からの光を受光する受光面と、
地表面に対して前記受光面を旋回運動および傾倒運動の少なくとも一方の運動を行わせるための駆動装置と、を備え、太陽の動きに応じて受光面を駆動させる太陽光追尾装置であって、
前記受光面には、受光面に対して平行な軸で当該受光面を回転できるように回転軸が設けられており、
前記回転軸を中心として前記受光面を回転できるよう、当該受光面を保持する保持部を備え、
前記回転軸周りのモーメントが所定の値を超えると、前記受光面の向きが変わるように、受光面の回転を許容する回転許容部が設けられていることを特徴とする太陽光追尾装置。
【請求項３】
前記回転軸周りのモーメントが所定値以下となった場合に、受光面の向きを元の向きに復帰させる復帰部を更に備える請求項２に記載の太陽光追尾装置。
【請求項４】
前記回転軸周りのモーメントが所定値以下の場合に、受光面の向きを一定の向きに保持しておく向き保持部を備える請求項２に記載の太陽光追尾装置。
【請求項５】
前記向き保持部は、磁石を含む
請求項４に記載の太陽光追尾装置。
【請求項６】
前記復帰部は、前記受光面を有するミラー部に取り付けられた錘を含む
請求項３に記載の太陽光追尾装置。
【請求項７】
前記ミラー部は、前記受光面とは反対側の反対面を含み、
前記錘は、前記反対面に取り付けられる
請求項６に記載の太陽光追尾装置。
【請求項８】
前記ミラー部は、前記回転軸によって、前記回転軸より上側の上ミラー領域と、前記回転軸より下側の下ミラー領域と、に区分され、
前記下ミラー領域は、前記上ミラー領域よりも重い
請求項６又は７に記載の太陽光追尾装置。
【発明の詳細な説明】
【技術分野】
【０００１】
本発明は、太陽光を追尾する太陽光追尾装置に関する。
【背景技術】
【０００２】
太陽光追尾装置は、太陽光発電装置（太陽電池）や太陽光集熱装置への太陽光の入射方向（到来方向）を追尾する。この太陽光追尾装置は、一般的に、屋外に配置されるので、風から負荷を受ける。特許文献１は、風からの負荷を低減する技術を提案する。
【先行技術文献】
【特許文献】
【０００３】
【特許文献１】特開平１１−３０７８０１号公報
【発明の概要】
【発明が解決しようとする課題】
【０００４】
特許文献１は、ミラーを駆動し、風からの過大な負荷を避ける技術を開示する。具体的には、特許文献１には、あらかじめ気象予測情報を取得しておき、風が強くなることが分かっている場合には、風による負荷が小さくなるように受光面の向きを制御する技術が開示されている。しかしながら、例えば、突風のように、気象情報では予測できない突然の風や、特許文献１に基づいて受光面の向きを制御していた場合でも風の向きが急に変わることが起きうる。このような場合には、喩え、特許文献１のように姿勢制御をした場合であっても、受光面に過度な負荷がかかることになり、その結果、受光面が太陽光追尾装置から外れたり、受光面が変形したり、受光面を駆動させる駆動装置が破損したりする場合がある。
【０００５】
本発明は、上記の課題を解決するためになされたものであり、突風等の風からの負荷の急速な増加に対応することができる太陽光追尾装置を提供することを目的とする。
【課題を解決するための手段】
【０００６】
本発明の一局面に係る太陽光追尾装置は、太陽からの光を受光する受光面と、地表面に対して前記受光面を旋回運動および傾倒運動の少なくとも一方の運動を行わせるための駆動装置と、を備え、太陽の動きに応じて受光面を駆動させる。太陽光追尾装置は、受光面に対して所定値以上の力がかかった場合には、この力を逃がすことができるように、前記旋回運動および傾倒運動とは異なり、受光面の向きを変えるようになっている。
【０００７】
上記構成によれば、太陽光追尾装置は、受光面に対して所定値以上の力がかかった場合には、この力を逃がすことができるように、旋回運動および傾倒運動とは異なり、受光面の向きを変えるようになっているので、太陽光追尾装置は、突風等の風からの負荷の急速な増加に対応することができる。
【０００８】
本発明の他の局面に係る太陽光追尾装置は、太陽からの光を受光する受光面と、地表面に対して前記受光面を旋回運動および傾倒運動の少なくとも一方の運動を行わせるための駆動装置と、を備え、太陽の動きに応じて受光面を駆動させる。前記受光面には、受光面に対して平行な軸で当該受光面を回転できるように回転軸が設けられている。太陽光追尾装置は、前記回転軸を中心として前記受光面を回転できるよう、当該受光面を保持する保持部を備える。前記回転軸周りのモーメントが所定の値を超えると、前記受光面の向きが変わるように、受光面の回転を許容する回転許容部が設けられている。
【０００９】
上記構成によれば、回転軸周りのモーメントが所定の値を超えると、受光面の向きが変わるように、受光面の回転を許容する回転許容部が設けられているので、太陽光追尾装置は、突風等の風からの負荷の急速な増加に対応することができる。
【００１０】
上記構成において、太陽光追尾装置は、前記回転軸周りのモーメントが所定値以下となった場合に、受光面の向きを元の向きに復帰させる復帰部を更に備える。
【００１１】
上記構成によれば、太陽光追尾装置は、回転軸周りのモーメントが所定値以下となった場合に、受光面の向きを元の向きに復帰させる復帰部を更に備えるので、受光面の向きは、適切に再設定される。
【００１２】
上記構成において、太陽光追尾装置は、前記回転軸周りのモーメントが所定値以下の場合に、受光面の向きを一定の向きに保持しておく向き保持部を備える。
【００１３】
上記構成によれば、太陽光追尾装置は、回転軸周りのモーメントが所定値以下の場合に、受光面の向きを一定の向きに保持しておく向き保持部を備えるので、受光面は、適切な向きに保持される。
【００１４】
上記構成において、前記向き保持部は、磁石を含む。
【００１５】
上記構成によれば、向き保持部は、磁石を含むので、受光面は、適切な向きに簡便に保持される。
【００１６】
上記構成において、前記復帰部は、前記受光面を有するミラー部に取り付けられた錘を含む。
【００１７】
上記構成によれば、復帰部は、ミラー部に取り付けられた錘を含むので、受光面の向きは、適切に再設定される。
【００１８】
上記構成において、前記ミラー部は、前記受光面とは反対側の反対面を含む。前記錘は、前記反対面に取り付けられる。
【００１９】
上記構成によれば、錘は、反対面に取り付けられるので、錘は、受光面を覆うことなく、ミラー部を適切な位置に復帰させることができる。
【００２０】
上記構成において、前記ミラー部は、前記回転軸によって、前記回転軸より上側の上ミラー領域と、前記回転軸より下側の下ミラー領域と、に区分される。前記下ミラー領域は、前記上ミラー領域よりも重い。
【００２１】
上記構成によれば、下ミラー領域は、上ミラー領域よりも重いので、風からの負荷が小さくなると、ミラー部は、適切な位置に復帰することができる。
【発明の効果】
【００２２】
上述の太陽光追尾装置は、突風等の風からの負荷の急速な増加に対応することができる。
【図面の簡単な説明】
【００２３】
【図１】第１実施形態のヘリオスタットの概略的な斜視図である。
【図２】図１に示されるヘリオスタットの複数のミラー部が受け止める風力が所定の値を超えた後のヘリオスタットの概略的な斜視図である。
【図３】第２実施形態のミラー機構の概略的な斜視図である。
【図４】第３実施形態のミラー機構の概略的な斜視図である。
【図５】第４実施形態のミラー機構の概略的な斜視図である。
【発明を実施するための形態】
【００２４】
＜第１実施形態＞
本発明者等は、風からの負荷の急速な増加に対する様々な対策を研究した。この結果、本発明者等は、ミラー部を高速に駆動する駆動装置の使用は、ヘリオスタットの製造コストの増大や駆動装置を制御するための制御技術の複雑化に帰結するという課題を見出した。本発明者等は、ミラー部の高速駆動に代えて、非常に簡素化された機械的構造を用いて、風からの負荷の急速な増加の下でも、過大な負荷を受けにくい太陽光追尾装置を開発した。第１実施形態において、太陽光追尾装置として例示されるヘリオスタットが説明される。
【００２５】
図１は、第１実施形態のヘリオスタット１００の概略的な斜視図である。図１を参照して、ヘリオスタット１００が説明される。
【００２６】
ヘリオスタット１００は、支持体２００と、反射体３００と、駆動機構４００と、を備える。支持体２００は、反射体３００を支持する。駆動機構４００は、支持体２００を、太陽の動きに応じて駆動する。この結果、反射体３００の向きは、適切に調整される。本実施形態において、駆動装置は、駆動機構４００によって例示される。
【００２７】
支持体２００は、支柱２１０と、梁２２０と、を含む。支柱２１０は、地表面（図示せず）に対して略垂直に延びる一方で、梁２２０は、地表面に対して略水平に延びる。
【００２８】
支柱２１０は、柱部２１１と、回転部２１２と、を含む。柱部２１１は、地表面（図示せず）から立設される。回転部２１２は、柱部２１１の上端に取り付けられる。梁２２０は、回転部２１２に取り付けられる。反射体３００は、梁２２０に取り付けられる。
【００２９】
図１は、垂直軸ＶＡＸと、水平軸ＨＡＸと、を示す。垂直軸ＶＡＸは、地表面から略垂直に延びる仮想線である。水平軸ＨＡＸは、垂直軸ＶＡＸに直交する仮想線である。垂直軸ＶＡＸは、支柱２１０の中心軸に相当する。水平軸ＨＡＸは、梁２２０の中心軸に相当する。
【００３０】
駆動機構４００は、第１駆動装置４１０と、第２駆動装置４２０と、を含む。第１駆動装置４１０は、支柱２１０内に配置される。第２駆動装置４２０は、梁２２０内に配置される。第１駆動装置４１０は、太陽光を追尾するように駆動制御され、回転部２１２を垂直軸ＶＡＸ周りに回転させる。第２駆動装置４２０は、太陽光を追尾するように駆動制御され、梁２２０を水平軸ＨＡＸ周りに回転させる。旋回運動は、垂直軸ＶＡＸ周りの回転運動によって例示される。傾倒運動は、水平軸ＨＡＸ周りの回転運動によって例示される。
【００３１】
梁２２０は、左端２２１と、右端２２２と、を含む。回転部２１２は、左端２２１と右端２２２との間の中間位置に位置する。
【００３２】
反射体３００は、支持構造体３１０と、複数のミラー部３２０と、を含む。支持構造体３１０は、梁２２０に取り付けられる。複数のミラー部３２０は、支持構造体３１０に取り付けられる。
【００３３】
支持構造体３１０は、外枠３１１と、格子枠３１２と、を含む。外枠３１１は、複数のミラー部３２０が配置される矩形領域の外形輪郭を形成する。格子枠３１２は、外枠３１１によって形成された矩形領域を、複数の配置領域に分割する。複数の配置領域それぞれは、矩形状である。複数のミラー部３２０が、複数の配置領域をそれぞれ覆うように、複数のミラー部３２０は、支持構造体３１０に取り付けられる。
【００３４】
外枠３１１は、左縦材３３１と、右縦材３３２と、上横材３３３と、下横材３３４と、を含む。左縦材３３１は、水平軸ＨＡＸと立体的に直交する。右縦材３３２は、左縦材３３１の右側に配置される。左縦材３３１と同様に、右縦材３３２は、水平軸ＨＡＸと立体的に直交する。上横材３３３は、左縦材３３１の上端と右縦材３３２の上端との間で、水平軸ＨＡＸに平行に延びる。下横材３３４は、上横材３３３の下方に配置される。下横材３３４は、左縦材３３１の下端と右縦材３３２の下端との間で、水平軸ＨＡＸに平行に延びる。
【００３５】
支持構造体３１０は、左取付耳３４１と、右取付耳３４２と、を更に含む。左取付耳３４１は、左縦材３３１から後方に突出し、梁２２０の左端２２１に接続される。右取付耳３４２は、右縦材３３２から後方に突出し、梁２２０の右端２２２に接続される。
【００３６】
図１に示される複数のミラー部３２０は、協働して、前面３２３と後面３２４とを形成する。前面３２３とは反対側の後面３２４は、支持体２００に対向する。
【００３７】
上述の駆動機構４００は、垂直軸ＶＡＸ及び／又は水平軸ＨＡＸ周りの回転運動を支持体２００に与え、前面３２３の向きを太陽の動きに応じて調整する。この結果、前面３２３は、太陽からの光を適切に受光することができる。図１に示される複数のミラー部３２０の位置は、以下の説明において、「受光位置」と称される。本実施形態において、受光面は、前面３２３を形成する複数のミラー部３２０それぞれの面によって例示される。
【００３８】
受光位置にある複数のミラー部３２０によって形成される前面３２３及び後面３２４はともに平坦である。受光位置にある複数のミラー部３２０は、外枠３１１によって形成された矩形領域を全体的に塞ぐ。したがって、図１に示される複数のミラー部３２０によって形成される前面３２３又は後面３２４は、風力を全体的に受け止める。
【００３９】
図２は、図１に示される複数のミラー部３２０が受け止める風力が所定の値を超えた後のヘリオスタット１００の概略的な斜視図である。図１及び図２を参照して、ヘリオスタット１００が説明される。
【００４０】
複数のミラー部３２０に加わる風力が所定の値を超えると、複数のミラー部３２０のうち少なくとも一部は回転する。この結果、ミラー部３２０に向かう風の少なくとも一部は、外枠３１１によって囲まれた矩形領域を通過することができる。したがって、ヘリオスタット１００は、過度に大きな力を受けない。
【００４１】
強い風力下で生ずるミラー部３２０の上述の回転運動は、第１駆動装置４１０及び第２駆動装置４２０にそれぞれ依拠する旋回運動（垂直軸ＶＡＸ周りの回転運動）及び傾倒運動（水平軸ＨＡＸ周りの回転運動）とは独立して生ずる。ヘリオスタット１００は、支持体２００を駆動することなく、風力の少なくとも一部を素早く逃がすことができるので、ヘリオスタット１００は、風力の急激な増加に適切に対応することができる。
【００４２】
＜第２実施形態＞
設計者は、複数のミラー部それぞれを支持するために様々な構造を設計することができる。第２実施形態において、ミラー部を支持するための例示的な構造が説明される。
【００４３】
図３は、第２実施形態のミラー機構５００の概略的な斜視図である。第１実施形態と共通する符号は、共通する符号が付された要素が第１実施形態と同一であることを意味する。図１及び図３を参照して、ミラー機構５００が説明される。
【００４４】
ミラー機構５００に関連して説明される技術は、図１を参照して説明された複数のミラー部３２０それぞれの取付に適用される。
【００４５】
ミラー機構５００は、図１を参照して説明された複数のミラー部３２０のうち１つを備える。第１実施形態の説明は、ミラー部３２０に援用される。
【００４６】
ミラー機構５００は、支持枠５１０を更に備える。ミラー部３２０は、支持枠５１０によって支持される。
【００４７】
ミラー部３２０は、受光面３２５と、接続面３２６と、第１縁面３５１と、第２縁面３５２と、第３縁面３５３と、第４縁面３５４と、を含む。受光面３２５は、図１を参照して説明された前面３２３の一部を形成する。接続面３２６は、図１を参照して説明された後面３２４の一部を形成する。受光面３２５及び接続面３２６はともに矩形である。第１縁面３５１、第２縁面３５２、第３縁面３５３及び第４縁面３５４は、協働して、受光面３２５及び接続面３２６の矩形状の外形輪郭を形成する。
【００４８】
支持枠５１０は、受光位置にあるミラー部３２０を取り囲む枠部５２０を含む。枠部５２０は、第１棒部５２１と、第２棒部５２２と、第３棒部５２３と、第４棒部５２４と、を含む。受光位置にあるミラー部３２０の第１縁面３５１に対向する第１棒部５２１は、第１縁面３５１に略平行に延びる。第１棒部５２１は、図１を参照して説明された外枠３１１又は格子枠３１２の一部に相当する。受光位置にあるミラー部３２０の第２縁面３５２に対向する第２棒部５２２は、第２縁面３５２に略平行に延びる。第２棒部５２２は、図１を参照して説明された外枠３１１又は格子枠３１２の一部に相当する。受光位置にあるミラー部３２０の第３縁面３５３に対向する第３棒部５２３は、第３縁面３５３に略平行に延びる。第３棒部５２３は、図１を参照して説明された外枠３１１又は格子枠３１２の一部に相当する。受光位置にあるミラー部３２０の第４縁面３５４に対向する第４棒部５２４は、第４縁面３５４に略平行に延びる。第４棒部５２４は、図１を参照して説明された外枠３１１又は格子枠３１２の一部に相当する。第１棒部５２１と第３棒部５２３との組及び第２棒部５２２と第４棒部５２４との組のうち一方は、水平方向に延設する。
【００４９】
支持枠５１０は、２つの耳部５３１，５３２を更に含む。耳部５３１は、第１棒部５２１から後方に突出する。耳部５３２は、第３棒部５２３から後方に突出する。
【００５０】
支持枠５１０は、受光面３２５に略平行に延びる回転軸５３０を更に含む。２つの耳部５３１，５３２それぞれは、ベアリング（図示せず）を含む。回転軸５３０は、ベアリングに嵌入される。したがって、回転軸５３０は、２つの耳部５３１，５３２によって回転可能に保持される。本実施形態において、回転許容部は、２つの耳部５３１，５３２それぞれのベアリングによって例示される。
【００５１】
回転軸５３０は、ミラー部３２０の接続面３２６に接続される。したがって、受光面３２５は、回転軸５３０周りに回転することができる。回転軸５３０は、垂直方向に延びてもよく、水平方向に延びてもよい。本実施形態の原理は、回転軸５３０の特定の延設方向に限定されない。
【００５２】
ミラー機構５００を設計する設計者は、回転軸５３０と接続面３２６との間の接続に、既知の様々な構造を採用することができる。本実施形態の原理は、回転軸５３０と接続面３２６との間の特定の接続構造に限定されない。本実施形態において、保持部は、２つの耳部５３１，５３２によって例示される。
【００５３】
図３に示されるミラー部３２０は、図１を参照して説明された受光位置にある。受光位置にあるミラー部３２０の受光面３２５は、枠部５２０によって囲まれた矩形領域に略平行である。
【００５４】
ミラー機構５００は、第１磁性部５４１と、第２磁性部５４２と、第３磁性部５４３と、第４磁性部５４４と、を更に備える。第１磁性部５４１は、枠部５２０の第２棒部５２２に取り付けられる。第１磁性部５４１は、第２棒部５２２から受光位置にあるミラー部３２０の第２縁面３５２に向けて突出する。第２磁性部５４２は、枠部５２０の第４棒部５２４に取り付けられる。第２磁性部５４２は、第４棒部５２４から受光位置にあるミラー部３２０の第４縁面３５４に向けて突出する。第３磁性部５４３は、ミラー部３２０の第２縁面３５２に取り付けられる。第３磁性部５４３は、第２縁面３５２から第１磁性部５４１に向けて突出する。第１磁性部５４１と第３磁性部５４３との間には、狭い空隙が形成される。第４磁性部５４４は、ミラー部３２０の第４縁面３５４に取り付けられる。第４磁性部５４４は、第４縁面３５４から第２磁性部５４２に向けて突出する。第２磁性部５４２と第４磁性部５４４との間には、狭い空隙が形成される。
【００５５】
第１磁性部５４１及び第３磁性部５４３のうち一方は、磁石であってもよい。第１磁性部５４１及び第３磁性部５４３のうち他方は、磁石に引きつけられる金属や他の材料であってもよい。第１磁性部５４１及び第３磁性部５４３はともに、磁石であってもよい。この場合、相異なる磁極が対向するように、第１磁性部５４１及び第３磁性部５４３の磁極は設定される。設計者は、第１磁性部５４１と第３磁性部５４３との間に磁気的な吸引力が発生するように、第１磁性部５４１及び第３磁性部５４３として用いられる材料を多様に設定することができる。したがって、本実施形態の原理は、第１磁性部５４１及び第３磁性部５４３として用いられる材料の特定の組み合わせに限定されない。
【００５６】
第２磁性部５４２及び第４磁性部５４４のうち一方は、磁石であってもよい。第２磁性部５４２及び第４磁性部５４４のうち他方は、磁石に引きつけられる金属や他の材料であってもよい。第２磁性部５４２及び第４磁性部５４４はともに、磁石であってもよい。この場合、相異なる磁極が対向するように、第２磁性部５４２及び第４磁性部５４４の磁極は設定される。設計者は、第２磁性部５４２と第４磁性部５４４との間に磁気的な吸引力が発生するように、第２磁性部５４２及び第４磁性部５４４として用いられる材料を多様に設定することができる。したがって、本実施形態の原理は、第２磁性部５４２及び第４磁性部５４４として用いられる材料の特定の組み合わせに限定されない。
【００５７】
回転軸５３０周りのモーメントが所定の値を超えないならば、ミラー部３２０は、第１磁性部５４１と第３磁性部５４３との間及び第２磁性部５４２と第４磁性部５４４との間で発生する磁気的な吸引力によって、受光位置に保持される。その後、受光面３２５又は接続面３２６が強い風力を受け、回転軸５３０周りのモーメントが所定の値を超えると、受光面３２５及び接続面３２６は、回転軸５３０とともに回転し、受光面３２５及び接続面３２６の向きが変化する。この結果、受光面３２５又は接続面３２６が受ける風力は低下する。本実施形態において、保持部は、第１磁性部５４１と第３磁性部５４３との組及び／又は第２磁性部５４２と第４磁性部５４４との組によって例示される。
【００５８】
＜第３実施形態＞
ミラー機構は、受光面を、受光位置に自動的に復帰させる構造を有してもよい。第３実施形態において、受光面を、受光位置に自動的に復帰させる構造を有する例示的なミラー機構が説明される。
【００５９】
図４は、第３実施形態のミラー機構５００Ａの概略的な斜視図である。第２実施形態と共通する符号は、共通する符号が付された要素が第２実施形態と同一であることを意味する。図４を参照して、ミラー機構５００Ａが説明される。
【００６０】
第２実施形態と同様に、ミラー機構５００Ａは、ミラー部３２０と、支持枠５１０と、第１磁性部５４１と、第２磁性部５４２と、第３磁性部５４３と、第４磁性部５４４と、を備える。第２実施形態の説明は、これらの要素に援用される。本実施形態において、第１磁性部５４１及び第３磁性部５４３の組は、第２磁性部５４２及び第４磁性部５４４の組の下方に位置する。
【００６１】
ミラー機構５００Ａは、取付片５５１と錘５５２とを更に備える。取付片５５１は、ミラー部３２０の接続面３２６から突出し、回転軸５３０に接続される。この結果、ミラー部３２０が強い風力を受けたとき、受光面３２５は、回転軸５３０周りに回転することができる。
【００６２】
接続面３２６は、上領域３２７と下領域３２８とを含む。上領域３２７は、回転軸５３０の回転中心軸を包含し、且つ、受光面３２５及び接続面３２６に直交する仮想平面よりも上側の領域として定義されてもよい。下領域３２８は、回転軸５３０の回転中心軸を包含し、且つ、受光面３２５及び接続面３２６に直交する仮想平面よりも下側の領域として定義されてもよい。錘５５２は、下領域３２８に取り付けられる。本実施形態において、反対面は、接続面３２６によって例示される。
【００６３】
ミラー部３２０が風から受ける力が所定の値以下となったとき、錘５５２が生じさせた回転軸５３０周りのモーメントによって、受光面３２５は、回転軸５３０周りに回転し、受光位置に復帰することができる。本実施形態において、復帰部は、錘５５２によって例示される。
【００６４】
＜第４実施形態＞
第３実施形態に関連して説明されたミラー機構は、錘を用いて、受光面を受光位置に戻す。代替的に、ミラー機構は、錘を用いることなく、受光面を受光位置に戻す構造を有してもよい。第４実施形態において、受光面を、錘を用いることなく、受光位置に自動的に復帰させる構造を有する例示的なミラー機構が説明される。
【００６５】
図５は、第４実施形態のミラー機構５００Ｂの概略的な斜視図である。第３実施形態と共通する符号は、共通する符号が付された要素が第３実施形態と同一であることを意味する。図５を参照して、ミラー機構５００Ｂが説明される。
【００６６】
第３実施形態と同様に、ミラー機構５００Ｂは、ミラー部３２０と、第１磁性部５４１と、第２磁性部５４２と、第３磁性部５４３と、第４磁性部５４４と、を備える。第３実施形態の説明は、これらの要素に援用される。
【００６７】
ミラー機構５００Ｂは、支持枠５１０Ｂを更に備える。第３実施形態と同様に、支持枠５１０Ｂは、枠部５２０を含む。第３実施形態の説明は、枠部５２０に援用される。
【００６８】
支持枠５１０Ｂは、２つの耳部５３１Ｂ，５３２Ｂと、回転軸５３０Ｂと、を更に含む。耳部５３１Ｂは、第１棒部５２１から後方に突出する。耳部５３２Ｂは、第３棒部５２３から後方に突出する。回転軸５３０Ｂは、２つの耳部５３１Ｂ，５３２Ｂによって回転可能に保持される。
【００６９】
ミラー部３２０は、回転軸５３０Ｂの回転中心軸を包含し、且つ、受光面３２５及び接続面３２６に直交する仮想平面によって、上ミラー領域３６１と、下ミラー領域３６２と、に概念的に区画される。上ミラー領域３６１は、仮想平面よりも上側に位置する。下ミラー領域３６２は、仮想平面よりも下方に位置する。
【００７０】
下ミラー領域３６２が、上ミラー領域３６１よりも広くなるように、２つの耳部５３１Ｂ，５３２Ｂ及び回転軸５３０Ｂの高さ位置が決定される。この結果、下ミラー領域３６２は、上ミラー領域３６１より重くなる。ミラー部３２０の重心は、回転軸５３０Ｂの下方に位置するので、ミラー部３２０が風から受ける力が所定の値以下となったとき、受光面３２５は、回転軸５３０Ｂ周りに回転し、受光位置に復帰することができる。
【００７１】
＜その他＞
第２実施形態乃至第４実施形態において、ミラー部は、磁力によって、受光位置に保持される。代替的に、ミラー部は、機械的に保持されてもよい。ミラー部の機械的な保持は、ヘリオスタット自身又はヘリオスタットの周囲に配置された風力計といった計器からの信号によって解除されてもよい。この場合、計器は、閾値以上の風力を検出すると、ミラー部に対する機械的な保持を解除するための解除信号を生成する。ミラー部に対する機械的な保持は、解除信号に応じて解除され、その後、ミラー部は、自由に回転することができる。
【産業上の利用可能性】
【００７２】
上述の実施形態の原理は、太陽光を利用した発電技術に好適に利用される。
【符号の説明】
【００７３】
１００・・・・・・・・・・・・・・・・・・・・・・・・・ヘリオスタット
３２０・・・・・・・・・・・・・・・・・・・・・・・・・ミラー部
３２５・・・・・・・・・・・・・・・・・・・・・・・・・受光面
３２６・・・・・・・・・・・・・・・・・・・・・・・・・接続面
３６１・・・・・・・・・・・・・・・・・・・・・・・・・上ミラー領域
３６２・・・・・・・・・・・・・・・・・・・・・・・・・下ミラー領域
４００・・・・・・・・・・・・・・・・・・・・・・・・・駆動機構
５３０，５３０Ｂ・・・・・・・・・・・・・・・・・・・・回転軸
５３１，５３２・・・・・・・・・・・・・・・・・・・・・耳部
５４１・・・・・・・・・・・・・・・・・・・・・・・・・第１磁性部
５４２・・・・・・・・・・・・・・・・・・・・・・・・・第２磁性部
５４３・・・・・・・・・・・・・・・・・・・・・・・・・第３磁性部
５４４・・・・・・・・・・・・・・・・・・・・・・・・・第４磁性部
５５２・・・・・・・・・・・・・・・・・・・・・・・・・錘
【図１】
2017053575.tif 000003
【図２】
2017053575.tif 000004
【図３】
2017053575.tif 000005
【図４】
2017053575.tif 000006
【図５】
2017053575.tif 000007